(57)【要約】【課題】特性的に問題があり従来では再生不可能であった光ディスクをも確実に再生することができる光ディスク装置および信号処理装置と光ディスク装置の再生制御方法を提供する。【解決手段】光ディスクから記録情報を読み出して得られた信号Ａ、Ｂ、Ｃ、Ｄを加算増幅器Ｎ１で加算かつ増幅してＲＦ信号を作成し、そのＲＦ信号を検波回路Ｎ５により検波して得られたオフトラック状態検出信号が、オフトラック状態とオントラック状態の繰り返し状態を示す場合には、ＤＵＴＹ検出部Ｎ８によりオフトラック状態検出信号のＤＵＴＹを測定し、その結果から感度判定部Ｎ９で検波回路Ｎ５によるオフトラック状態検出信号の検出感度を判定し、その判定結果に従って、検波感度調整回路Ｎ６により検波回路Ｎ５に対してオフトラック状態検出信号の検出感度を調整する。【選択図】図１
2005122773.tif 000002
【特許請求の範囲】
【請求項１】
光ディスクに記録された情報から信号を読み出す信号読み出し手段と、前記信号読み出し手段から供給される信号を加算かつ増幅してＲＦ信号を作成するＲＦ信号作成手段と、前記ＲＦ信号作成手段からのＲＦ信号を検波してオフトラック状態検出信号を作成するオフトラック状態検出信号作成手段と、前記オフトラック状態検出信号作成手段からのオフトラック状態検出信号の状態としてオフトラック状態とオントラック状態が繰り返される場合に、前記オフトラック状態検出信号のＤＵＴＹを測定するＤＵＴＹ測定手段とを備え、前記ＤＵＴＹ測定手段により測定した前記ＤＵＴＹに基づいて、前記オフトラック状態検出信号作成手段による前記検波の感度を調整するよう構成したことを特徴とする光ディスク装置。
【請求項２】
請求項１記載の光ディスク装置であって、前記ＤＵＴＹ測定手段は、前記オフトラック状態検出信号の標本化とその電位の高低のカウントを行うことを特徴とする光ディスク装置。
【請求項３】
請求項１記載の光ディスク装置であって、前記ＤＵＴＹ測定手段は、前記オフトラック状態検出信号の電位の高低により電気容量への充電と放電の切り替えを行うことを特徴とする光ディスク装置。
【請求項４】
請求項１記載の光ディスク装置であって、前記ＤＵＴＹ測定手段は、前記オフトラック状態検出信号に対し、ＬＰＦを通しさらにサンプルホールドした直流電位を生成することを特徴とする光ディスク装置。
【請求項５】
請求項１から請求項４のいずれかに記載の光ディスク装置であって、前記オフトラック状態検出信号のＤＵＴＹを基に、前記オフトラック状態検出信号作成手段におけるオフトラック状態検出信号の検出感度を判定する感度判定手段を設けたことを特徴とする光ディスク装置。
【請求項６】
請求項５記載の光ディスク装置であって、前記感度判定手段により判定した検出感度に応じて、前記オフトラック状態検出信号作成手段におけるオフトラック状態検出信号の検出感度を調整する感度調整手段を設けたことを特徴とする光ディスク装置。
【請求項７】
請求項６記載の光ディスク装置であって、前記信号読み出し手段からの供給信号を基にトラッキングエラー信号を作成するトラッキングエラー信号作成手段と、前記オフトラック状態検出信号と前記トラッキングエラー信号作成手段からのトラッキングエラー信号の周期を比較し、異なる場合には、前記感度調整手段における検出感度調整時の最初の調整量を大きくする感度修正手段とを設けたことを特徴とする光ディスク装置。
【請求項８】
請求項６または請求項７記載の光ディスク装置であって、前記感度調整手段は、前記オフトラック状態検出信号の感度調整を、そのＤＵＴＹの振れが一定範囲内に収束するまで繰り返し実行することを特徴とする光ディスク装置。
【請求項９】
請求項１から請求項８のいずれかに記載の光ディスク装置であって、前記ＤＵＴＹ測定手段におけるオフトラック状態検出信号のＤＵＴＹ測定の実行、非実行、もしくは前記感度調整手段におけるオフトラック状態検出信号の感度調整の実行、非実行の切り替え手段を設けたことを特徴とする光ディスク装置。
【請求項１０】
請求項９記載の光ディスク装置の再生制御方法であって、前記光ディスクの種別により前記オフトラック状態検出信号の感度の最適化が不要な場合には、前記感度調整を非実行とする光ディスク装置の再生制御方法。
【請求項１１】
請求項１０記載の光ディスク装置の制御方法により、前記感度調整の実行、非実行を切り替えて、前記オフトラック状態検出信号の感度の最適化を行うことを特徴とする光ディスク再生装置。
【請求項１２】
光ディスクに記録された情報から得られるＲＦ信号を入力する入力手段と、前記入力手段からのＲＦ信号を検波してオフトラック状態検出信号を作成するオフトラック状態検出信号作成手段と、前記オフトラック状態検出信号作成手段からのオフトラック状態検出信号の状態としてオフトラック状態とオントラック状態が繰り返される場合に、前記オフトラック状態検出信号のＤＵＴＹを測定するＤＵＴＹ測定手段とを備え、前記ＤＵＴＹ測定手段により測定した前記ＤＵＴＹに基づいて、前記オフトラック状態検出信号作成手段による前記検波の感度を調整するよう構成したことを特徴とする信号処理装置。
【請求項１３】
請求項１２記載の信号処理装置であって、前記ＤＵＴＹ測定手段は、前記オフトラック状態検出信号の標本化とその電位の高低のカウントを行うことを特徴とする信号処理装置。
【請求項１４】
請求項１２記載の信号処理装置であって、前記ＤＵＴＹ測定手段は、前記オフトラック状態検出信号の電位の高低により電気容量への充電と放電の切り替えを行うことを特徴とする信号処理装置。
【請求項１５】
請求項１２記載の信号処理装置であって、前記ＤＵＴＹ測定手段は、前記オフトラック状態検出信号に対し、ＬＰＦを通しさらにサンプルホールドした直流電位を生成することを特徴とする信号処理装置。
【請求項１６】
請求項１２から請求項１５のいずれかに記載の信号処理装置であって、前記オフトラック状態検出信号のＤＵＴＹを基に、前記オフトラック状態検出信号作成手段におけるオフトラック状態検出信号の検出感度を判定する感度判定手段を設けたことを特徴とする信号処理装置。
【請求項１７】
請求項１６記載の信号処理装置であって、前記感度判定手段により判定した検出感度に応じて、前記オフトラック状態検出信号作成手段におけるオフトラック状態検出信号の検出感度を調整する感度調整手段を設けたことを特徴とする信号処理装置。
【請求項１８】
請求項１７記載の信号処理装置であって、前記信号読み出し手段からの供給信号を基にトラッキングエラー信号を作成するトラッキングエラー信号作成手段と、前記オフトラック状態検出信号と前記トラッキングエラー信号作成手段からのトラッキングエラー信号の周期を比較し、異なる場合には、前記感度調整手段における検出感度調整時の最初の調整量を大きくする感度修正手段とを設けたことを特徴とする信号処理装置。
【請求項１９】
請求項１７または請求項１８記載の信号処理装置であって、前記感度調整手段は、前記オフトラック状態検出信号の感度調整を、そのＤＵＴＹの振れが一定範囲内に収束するまで繰り返し実行することを特徴とする信号処理装置。
【請求項２０】
請求項１２から請求項１９のいずれかに記載の信号処理装置であって、前記ＤＵＴＹ測定手段におけるオフトラック状態検出信号のＤＵＴＹ測定の実行、非実行、もしくは前記感度調整手段におけるオフトラック状態検出信号の感度調整の実行、非実行の切り替え手段を設けたことを特徴とする信号処理装置。
【請求項２１】
請求項２０記載の信号処理装置を用いた光ディスク装置の再生制御方法であって、前記光ディスクの種別により前記オフトラック状態検出信号の感度の最適化が不要な場合には、前記感度調整を非実行とする光ディスク装置の再生制御方法。
【発明の詳細な説明】
【技術分野】
【０００１】
本発明は、ＣＤやＤＶＤ等の光ディスクから記録情報を再生する光ディスク装置における信号処理技術に関するものである。
【背景技術】
【０００２】
近年、光ディスク装置において、その記録媒体であるＣＤやＤＶＤ等の光ディスクとして、安価ではあるが特性的に問題のある粗悪なディスクが出現しており、これらのディスクについても問題なく再生することが必須条件となってきている。
【０００３】
このような安価で粗悪なディスクの特徴として、光ピックアップでディスクのピット面を読み取ったＲＦ信号が、現在読み取り中のピットだけではなく、隣のピットの反射光までが含まれる。
【０００４】
そのため、トラックジャンプもしくはトラック引き込みの際、光ピックアップがピット上にない場合においては、隣のピットの反射光も含むＲＦ信号が十分な振幅を持って出力されてしまうため、ＲＦ信号のへこみ率より生成されるオフトラック検出信号が出力されない結果となる。
【０００５】
このオフトラック検出信号と、ピットに対する光ピックアップのズレに対応して得られる２信号の差に基づくトラッキングエラー信号（以下、ＴＥ信号と呼ぶ）とを、トラックジャンプおよびトラック引き込み処理に使用する場合、これらの信号が正常に出力されないと、正常な再生動作をすることができない。その結果、ディスクから記録情報が再生できない結果となってしまっている。
【０００６】
以上のような従来の光ディスク装置について以下に説明する。
図６は従来の光ディスク装置におけるＲＦ信号増幅器のブロック図である。図６において、Ｐ１は加算増幅器、Ｐ２は減算増幅器、Ｐ３はイコライザ、Ｐ４はＡＧＣ回路、Ｐ５は検波回路、Ｐ６は検波感度調整回路、Ｐ７は減算増幅器である。
【０００７】
光ディスクのデータの読み出し時、光ピックアップ（図示せず）からの検出信号Ａ、Ｂ、Ｃ、Ｄ、Ｅ、Ｆの信号が入力されると、ＲＦ信号増幅器では、加算増幅器Ｐ１において信号Ａ、Ｂ、Ｃ、Ｄの和を作成しさらに増幅してＲＦ信号として出力する。また、減算増幅器Ｐ２において信号ＡとＣの和と、信号ＢとＤの和を作成し、それらの差分信号を作成して増幅した信号を、フォーカスエラー信号（以下、ＦＥと呼ぶ）として出力する。
【０００８】
イコライザＰ３は加算増幅器Ｐ１から出力されたＲＦ信号の周波数特性を補正して出力する。ＡＧＣＰ４はイコライザＰ３の出力が一定の振幅になるように利得を補正してＡＲＦ信号として出力する。検波回路Ｐ５はＲＦ信号を検波してＲＦ信号のトラックの間など、ＲＦ信号が出力されない区間を検出しオフトラック検出信号を出力する。検波感度調整回路Ｐ６は検波回路Ｐ５における外部からの感度設定に従いＲＦ信号検波の電位の調整を行う。減算増幅器Ｐ７において信号ＥとＦの差分信号を作成して増幅した信号を、ＴＥ信号として出力する。
【０００９】
次に、上記のような光ディスク装置において、オフトラック状態検出信号が十分に出力されているディスクを再生させた場合のＴＥ信号、オフトラック状態検出信号について図７を用いて説明する。
【００１０】
図７は光ピックアップがピットを横切った時のＴＥ信号およびオフトラック状態検出信号を示した波形図である。図７において、７１はＴＥ信号、７２はレーザがピット上にあるオントラック点、７３はオフトラック状態検出信号である。このように、オフトラック状態検出信号は、レーザがオントラック上にある時と、オフトラック上にあるときで異なる極性を示す。このＴＥ信号、オフトラック状態検出信号から、サーボ制御チップは、レーザの現在位置を把握し、トラックジャンプおよびトラッキング引き込み動作を実行する。
【００１１】
図８はオフトラック状態検出信号が出力されにくいディスクにおいて、ピックアップがピットを横切った時のＴＥ信号およびオフトラック状態検出信号を示した波形図である。図８において、８１はＴＥ信号、８２はレーザがピット上にあるオントラック点、８３はオフトラック状態検出信号である。このディスクにおいては、オフトラック状態検出信号が立ちづらいため、オフトラック状態検出信号の感度調整が必要となる。
【００１２】
また、その他の従来例の光ディスク装置（例えば、特許文献１を参照）では、トラックジャンプ時に目標位置を設定することにより、外乱が加わった場合でも、その際の安定で正確なトラックジャンプを提供している。
【特許文献１】特開平６−２４３４８３号公報
【発明の開示】
【発明が解決しようとする課題】
【００１３】
しかしながら特許文献１に記載したような従来の光ディスク装置では、外乱が加わった場合に安定で正確なトラックジャンプを得るために目標位置を設定するだけであり、もし外乱や振動等でピックアップの位置がずれた場合、ＴＥ信号だけでのトラック本数のカウント方法では、ずれ方向が判断できないので、ずれたトラック本数を正確に算出できず、安定で正確なトラックジャンプ処理のための制御を実行することができない。
【００１４】
これに対し、オフトラック状態検出信号とＴＥ信号を併用したトラック本数のカウント方法では、ずれ方向も検出可能なため、ずれたトラック本数を正確に算出できより精度の高いトラックジャンプ処理が可能であるが、この方法では、既に記したようにオフトラック状態検出信号の波形が確立されている必要があり、オフトラック状態検出信号の感度調整が必要である。
【００１５】
従って、オフトラック状態検出信号が正常に出力されない粗悪なディスクにおいては、トラック数のカウントを誤ってしまうため、サーボ制御チップがレーザの現在位置を誤判断し、正確なトラックジャンプおよびトラック引き込み処理が実行できず、正常に再生することができないことがある。
【００１６】
本発明は、上記従来の問題点を解決するもので、オフトラック状態検出信号を用いた正確で高速なトラックジャンプおよびトラック引き込み機能を損なうことなく、従来では再生不可能であったディスクを確実に再生することができる光ディスク装置および信号処理装置と光ディスク装置の再生制御方法を提供する。
【課題を解決するための手段】
【００１７】
上記の課題を解決するために、本発明の請求項１記載の光ディスク装置は、光ディスクに記録された情報から信号を読み出す信号読み出し手段と、前記信号読み出し手段から供給される信号を加算かつ増幅してＲＦ信号を作成するＲＦ信号作成手段と、前記ＲＦ信号作成手段からのＲＦ信号を検波してオフトラック状態検出信号を作成するオフトラック状態検出信号作成手段と、前記オフトラック状態検出信号作成手段からのオフトラック状態検出信号の状態としてオフトラック状態とオントラック状態が繰り返される場合に、前記オフトラック状態検出信号のＤＵＴＹを測定するＤＵＴＹ測定手段とを備え、前記ＤＵＴＹ測定手段により測定した前記ＤＵＴＹに基づいて、前記オフトラック状態検出信号作成手段による前記検波の感度を調整するよう構成したことを特徴とする。
【００１８】
また、本発明の請求項２記載の光ディスク装置は、請求項１記載の光ディスク装置であって、前記ＤＵＴＹ測定手段は、前記オフトラック状態検出信号の標本化とその電位の高低のカウントを行う構成としたことを特徴とする。
【００１９】
また、本発明の請求項３記載の光ディスク装置は、請求項１記載の光ディスク装置であって、前記ＤＵＴＹ測定手段は、前記オフトラック状態検出信号の電位の高低により電気容量への充電と放電の切り替えを行う構成としたことを特徴とする。
【００２０】
また、本発明の請求項４記載の光ディスク装置は、請求項１記載の光ディスク装置であって、前記ＤＵＴＹ測定手段は、前記オフトラック状態検出信号に対し、ＬＰＦを通しさらにサンプルホールドした直流電位を生成する構成としたことを特徴とする。
【００２１】
また、本発明の請求項５記載の光ディスク装置は、請求項１から請求項４のいずれかに記載の光ディスク装置であって、前記オフトラック状態検出信号のＤＵＴＹを基に、前記オフトラック状態検出信号作成手段におけるオフトラック状態検出信号の検出感度を判定する感度判定手段を設けた構成としたことを特徴とする。
【００２２】
また、本発明の請求項６記載の光ディスク装置は、請求項５記載の光ディスク装置であって、前記感度判定手段により判定した検出感度に応じて、前記オフトラック状態検出信号作成手段におけるオフトラック状態検出信号の検出感度を調整する感度調整手段を設けた構成としたことを特徴とする。
【００２３】
また、本発明の請求項７記載の光ディスク装置は、請求項６記載の光ディスク装置であって、前記信号読み出し手段からの供給信号を基にトラッキングエラー信号を作成するトラッキングエラー信号作成手段と、前記オフトラック状態検出信号と前記トラッキングエラー信号作成手段からのトラッキングエラー信号の周期を比較し、異なる場合には、前記感度調整手段における検出感度調整時の最初の調整量を大きくする感度修正手段とを設けた構成としたことを特徴とする。
【００２４】
また、本発明の請求項８記載の光ディスク装置は、請求項６または請求項７記載の光ディスク装置であって、前記感度調整手段は、前記オフトラック状態検出信号の感度調整を、そのＤＵＴＹの振れが一定範囲内に収束するまで繰り返し実行する構成としたことを特徴とする。
【００２５】
また、本発明の請求項９記載の光ディスク装置は、請求項１から請求項８のいずれかに記載の光ディスク装置であって、前記ＤＵＴＹ測定手段におけるオフトラック状態検出信号のＤＵＴＹ測定の実行、非実行、もしくは前記感度調整手段におけるオフトラック状態検出信号の感度調整の実行、非実行の切り替え手段を設けた構成としたことを特徴とする。
【００２６】
また、本発明の請求項１０記載の光ディスク装置の再生制御方法は、請求項９記載の光ディスク装置の再生制御方法であって、前記光ディスクの種別により前記オフトラック状態検出信号の感度の最適化が不要な場合には、前記感度調整を非実行とする方法としたことを特徴とする。
【００２７】
また、本発明の請求項１１記載の光ディスク再生装置は、請求項１０記載の光ディスク装置の制御方法により、前記感度調整の実行、非実行を切り替えて、前記オフトラック状態検出信号の感度の最適化を行う構成としたことを特徴とする。
【００２８】
また、本発明の請求項１２記載の信号処理装置は、光ディスクに記録された情報から得られるＲＦ信号を入力する入力手段と、前記入力手段からのＲＦ信号を検波してオフトラック状態検出信号を作成するオフトラック状態検出信号作成手段と、前記オフトラック状態検出信号作成手段からのオフトラック状態検出信号の状態としてオフトラック状態とオントラック状態が繰り返される場合に、前記オフトラック状態検出信号のＤＵＴＹを測定するＤＵＴＹ測定手段とを備え、前記ＤＵＴＹ測定手段により測定した前記ＤＵＴＹに基づいて、前記オフトラック状態検出信号作成手段による前記検波の感度を調整するよう構成したことを特徴とする。
【００２９】
また、本発明の請求項１３記載の信号処理装置は、請求項１２記載の信号処理装置であって、前記ＤＵＴＹ測定手段は、前記オフトラック状態検出信号の標本化とその電位の高低のカウントを行う構成としたことを特徴とする。
【００３０】
また、本発明の請求項１４記載の信号処理装置は、請求項１２記載の信号処理装置であって、前記ＤＵＴＹ測定手段は、前記オフトラック状態検出信号の電位の高低により電気容量への充電と放電の切り替えを行う構成としたことを特徴とする。
【００３１】
また、本発明の請求項１５記載の信号処理装置は、請求項１２記載の信号処理装置であって、前記ＤＵＴＹ測定手段は、前記オフトラック状態検出信号に対し、ＬＰＦを通しさらにサンプルホールドした直流電位を生成する構成としたことを特徴とする。
【００３２】
また、本発明の請求項１６記載の信号処理装置は、請求項１２から請求項１５のいずれかに記載の信号処理装置であって、前記オフトラック状態検出信号のＤＵＴＹを基に、前記オフトラック状態検出信号作成手段におけるオフトラック状態検出信号の検出感度を判定する感度判定手段を設けた構成としたことを特徴とする。
【００３３】
また、本発明の請求項１７記載の信号処理装置は、請求項１６記載の信号処理装置であって、前記感度判定手段により判定した検出感度に応じて、前記オフトラック状態検出信号作成手段におけるオフトラック状態検出信号の検出感度を調整する感度調整手段を設けた構成としたことを特徴とする。
【００３４】
また、本発明の請求項１８記載の信号処理装置は、請求項１７記載の信号処理装置であって、前記信号読み出し手段からの供給信号を基にトラッキングエラー信号を作成するトラッキングエラー信号作成手段と、前記オフトラック状態検出信号と前記トラッキングエラー信号作成手段からのトラッキングエラー信号の周期を比較し、異なる場合には、前記感度調整手段における検出感度調整時の最初の調整量を大きくする感度修正手段とを設けた構成としたことを特徴とする。
【００３５】
また、本発明の請求項１９記載の信号処理装置は、請求項１７または請求項１８記載の信号処理装置であって、前記感度調整手段は、前記オフトラック状態検出信号の感度調整を、そのＤＵＴＹの振れが一定範囲内に収束するまで繰り返し実行する構成としたことを特徴とする。
【００３６】
また、本発明の請求項２０記載の信号処理装置は、請求項１２から請求項１９のいずれかに記載の信号処理装置であって、前記ＤＵＴＹ測定手段におけるオフトラック状態検出信号のＤＵＴＹ測定の実行、非実行、もしくは前記感度調整手段におけるオフトラック状態検出信号の感度調整の実行、非実行の切り替え手段を設けた構成としたことを特徴とする。
【００３７】
また、本発明の請求項２１記載の光ディスク装置の再生制御方法は、請求項２０記載の信号処理装置を用いた光ディスク装置の再生制御方法であって、前記光ディスクの種別により前記オフトラック状態検出信号の感度の最適化が不要な場合には、前記感度調整を非実行とする方法としたことを特徴とする。
【００３８】
以上により、ディスク毎に最適なオフトラック状態検出信号の検出感度の調整を実行し、設計時に合わせ込んだ感度でのオフトラック状態検出信号で再生不可能なディスクにおいても、正確なトラックジャンプおよびトラック引き込み処理を実行することができる。
【発明の効果】
【００３９】
以上のように本発明によれば、ディスク毎に最適なオフトラック状態検出信号の検出感度の調整を実行し、設計時に合わせ込んだ感度でのオフトラック状態検出信号で再生不可能なディスクにおいても、正確なトラックジャンプおよびトラック引き込み処理を実行することができる。
【００４０】
そのため、オフトラック状態検出信号を用いた正確で高速なトラックジャンプおよびトラック引き込み機能を損なうことなく、従来では再生不可能であったディスクを確実に再生することができる。
【発明を実施するための最良の形態】
【００４１】
以下、本発明の実施の形態を示す光ディスク装置および信号処理装置と光ディスク装置の再生制御方法について、図面を参照しながら具体的に説明する。
（実施の形態１）
本発明の実施の形態１の光ディスク装置および信号処理装置と光ディスク装置の再生制御方法を説明する。
【００４２】
図１は本実施の形態１の光ディスク装置におけるＲＦ信号増幅器のブロック図である。図１において、Ｎ１は加算増幅器、Ｎ２は減算増幅器、Ｎ３はイコライザ、Ｎ４はＡＧＣ回路、Ｎ５は検波回路、Ｎ６は検波感度調整回路、Ｎ７は減算増幅器、Ｎ８はＤＵＴＹ検出部、Ｎ９は感度判定部である。
【００４３】
加算増幅器Ｎ１〜減算増幅器Ｎ７の各動作については、従来の光ディスク装置のＲＦ信号増幅器における加算増幅器Ｐ１から減算増幅器Ｐ７と同一なので、ここでの説明は省略する。ＤＵＴＹ検出部Ｎ８は、検波回路Ｎ５から出力されるオフトラック状態検出信号に電位の高い部分と低い部分が交互に連続して変化を検出すると、そのＤＵＴＹを測定して感度判定部Ｎ９に出力する。感度判定部Ｎ９はオフトラック状態検出信号のＤＵＴＹから現在のオフトラック状態検出信号の感度を判定し、予め設定された最適な感度になるように、検波感度調整回路Ｎ６の感度設定を行う。
【００４４】
上記のように、オフトラック状態検出信号に電位の高い部分と低い部分が交互に連続する状態は、光ディスクのデータを読み出すためトラックをトレースしている場合ではなく、サーチ動作やトラック間のジャンプ動作の場合であり、本実施の形態１のＲＦ信号増幅器では、その都度、オフトラック状態検出信号の感度の調整を自動的に行う。
【００４５】
上記の光ディスク装置におけるＤＵＴＹ検出部の構成の一例として、標本化とその電位の高低のカウントによる検出方法について説明する。
図２はカウントによる検出を行うＤＵＴＹ検出部のブロック図である。図２において、２１はオフトラック状態検出信号を一定間隔でサンプリングしてサンプリング値を出力するサンプリング回路、２２はサンプリング値の１と０をそれぞれカウントして１の数と０の数を出力するカウント回路、２３は１の数と０の数の比を算出する算出回路、２４は予め設定された比の目標値と算出回路から出力される比を比較し、比較結果の符合又は差分又は比を、検波感度調整回路Ｎ６への調整指示信号として出力する比較回路である。
【００４６】
上記の光ディスク装置におけるＤＵＴＹ検出部のもう一つの構成例として、オフトラック状態検出信号電位の高低を用いた電気容量への充電と放電の切り替えによる検出方法について説明する。
【００４７】
図３は電気容量への充電と放電の切り替えによる検出を行うＤＵＴＹ検出部のブロック図である。図３において、３１は検波感度調整回路Ｎ６への調整指示信号として充電又は放電により貯まった電荷をホールドし電位を出力する電気容量、３２はオフトラック状態検出信号の電位が高い時に電源から電気容量３１への配線を短絡することにより充電を行い、電位が低い時には配線を開放して充電を停止する充電回路スイッチ、３３は充電時の電流を決定する充電電流負荷、３４はオフトラック状態検出信号の電位が低い時に電気容量３１からＧＮＤへの配線を短絡することにより放電を行い電位が高い時には配線を開放して放電を停止する放電回路スイッチ、３５は放電時の電流を決定する放電電流負荷である。
【００４８】
オフトラック状態検出信号の電位が高い部分が大きいほど電気容量３１への充電量が放電量を上回るため、電気容量３１への電荷がたまる方向になり、電気容量３１から出力される検波感度調整回路Ｎ６への調整指示信号の電位は高くなり、オフトラック状態検出信号の電位が低い部分が大きいほど電気容量３１への放電量が充電量を上回るため、電気容量３１への電荷が抜ける方向になり、電気容量３１から出力される検波感度調整回路Ｎ６への調整指示信号の電位は低くなる。
【００４９】
次に、上記のＤＵＴＹ検出部の構成のさらにもうひとつの一例として、ＬＰＦとサンプルホールド回路を用いた検出方法について説明する。
図４はＬＰＦとサンプルホールドによる検出を行うＤＵＴＹ検出部のブロック図である。図４において、４１はＬＰＦ、４２はサンプルホールド回路である。
【００５０】
例えばオフトラック状態検出信号のＤＵＴＹが１：１の場合は、ＬＰＦ４１を通した信号の直流成分はオフトラック状態検出信号の高電位と低電位のちょうど中間になり、ＤＵＴＹが１：１でない場合は、パルスの幅が大きいほうに直流のオフセット成分として表れる。この電位をサンプルホールド回路４２により保持して検波感度調整回路Ｎ６への調整信号として出力することにより、オフトラック状態検出信号の感度の調整を行う。
（実施の形態２）
本発明の実施の形態２の光ディスク装置および信号処理装置と光ディスク装置の再生制御方法を説明する。
【００５１】
図５は本実施の形態２の光ディスク装置におけるＲＦ信号増幅器のブロック図である。図５において、５１は加算増幅器、５２は減算増幅器、５３はイコライザ、５４はＡＧＣ回路、５５は検波回路、５６は検波感度調整回路、５７は減算増幅器、５８はＤＵＴＹ検出部、５９は感度判定部である。加算増幅器５１〜感度判定部５９までの動作は、実施の形態１と同様なので、ここでの説明は省略する。
【００５２】
周期比較回路５Ａは、オフトラック状態検出信号とトラッキングエラー信号の周期を比較し、周期が異なっている場合に感度判定部５９は感度修正指示を出力する。例えばオフトラック状態検出信号の周期がトラッキングエラー信号の周期より長い場合は、検出感度が大幅に不足していると判断し、感度の高い方向へ大きくシフトするように指示を行い、短い場合は、必要以上に感度が高いと判断し、感度の低い方向へシフトするように指示を行う。その後、オフトラック状態検出信号の感度調整を、ＤＵＴＹの振れが一定範囲内に収束するまで繰り返し実行することにより、最適な感度設定での動作を実現する。
【００５３】
また、ディスク種別等、例えばＣＤ−Ｒ、ＣＤ−ＲＷ等は製造メーカの相違や材質の相違によるばらつきがあるが、市販のＣＤ−ＤＡやＣＤ−ＲＯＭ等はばらつきが少ないため、感度の初期値をＣＤ−ＤＡに合わせておけばオフトラック状態検出信号の感度調整の実行は不要である。
【００５４】
図５において、メディア判定手段５Ｂは、ＣＤ−ＤＡの場合に停止指示信号を出力し、ＤＵＴＹ検出部５８と感度判定部５９が動作を停止することにより、オフトラック状態検出信号の感度調整を行わない。これにより、例えば初期動作時の感度調整の所要時間を省略することができる。
【産業上の利用可能性】
【００５５】
本発明にかかる光ディスク装置および信号処理装置と光ディスク装置の再生制御方法は、ＣＤやＤＶＤ等の光ディスク再生時における正確なデータ読み出し機能を有し、光ディスク再生装置を含む光ディスク装置全般に有効に適用できる。
【図面の簡単な説明】
【００５６】
【図１】本発明の実施の形態１の光ディスク装置におけるＲＦ信号増幅器の構成を示すブロック図
【図２】同実施の形態１の光ディスク装置におけるＤＵＴＹ検出部の構成を示すブロック図
【図３】同実施の形態１の光ディスク装置におけるＤＵＴＹ検出部の別の方式による構成を示すブロック図
【図４】同実施の形態１の光ディスク装置におけるＤＵＴＹ検出部のさらに別の方式による構成を示すブロック図
【図５】本発明の実施の形態２の光ディスク装置におけるＲＦ信号増幅器の構成を示すブロック図
【図６】従来の光ディスク装置におけるＲＦ信号増幅器の構成を示すブロック図
【図７】同従来例の光ディスク装置における通常ディスク再生時のＴＥ信号とオフトラック状態検出信号の波形図
【図８】同従来例の光ディスク装置におけるオフトラック状態検出信号の感度調整が必要な場合のディスク再生時のＴＥ信号とオフトラック状態検出信号の波形図
【符号の説明】
【００５７】
Ｎ１    加算増幅器
Ｎ２    減算増幅器
Ｎ３    イコライザ
Ｎ４    ＡＧＣ
Ｎ５    検波回路
Ｎ６    検波感度調整回路
Ｎ７    減算増幅器
Ｎ８    ＤＵＴＹ検出部
Ｎ９    感度判定部
２１    サンプリング回路
２２    カウント回路
２３    算出回路
２４    比較回路
３１    電気容量
３２    充電回路スイッチ
３３    充電電流負荷
３４    放電回路スイッチ
３５    放電電流負荷
４１    ＬＰＦ
４２    サンプルホールド回路
５１    加算増幅器
５２    減算増幅器
５３    イコライザ
５４    ＡＧＣ
５５    検波回路
５６    検波感度調整回路
５７    減算増幅器
５８    ＤＵＴＹ検出部
５９    感度判定部
５Ａ    周期比較回路
５Ｂ    メディア判定手段
Ｐ１    加算増幅器
Ｐ２    減算増幅器
Ｐ３    イコライザ
Ｐ４    ＡＧＣ
Ｐ５    検波回路
Ｐ６    検波感度調整回路
Ｐ７    減算増幅器
７１    ＴＥ信号
７２    オントラック点
７３    ＯＦＴ信号
８１    ＴＥ信号
８２    オントラック点
８３    ＯＦＴ信号
【図１】
2005122773.tif 000003
【図２】
2005122773.tif 000004
【図３】
2005122773.tif 000005
【図４】
2005122773.tif 000006
【図５】
2005122773.tif 000007
【図６】
2005122773.tif 000008
【図７】
2005122773.tif 000009
【図８】
2005122773.tif 000010